(57)【要約】      （修正有）【課題】短絡防止および電圧フィードバック補償が可能なバックライト装置を提供する。【解決手段】このバックライト装置は、電源、ランプ、平衡トランス、検出回路、判断モジュールおよび制御モジュールを含む。平衡トランスは、電源に電気的に接続される一次巻線およびこの一次巻線に対応して、前記ランプに電気的に接続される二次巻線を含む。検出回路は、二次巻線によって発生される電流を検出して、この電流に従って第１の電圧を発生させるのに用いられる。判断モジュールは、第１の電圧の値がデフォルト値より小さいかどうか判断するのに用いられる。制御モジュールは、判断モジュールによってなされる判断に従って電源を制御するのに用いられる。【選択図】図２
0003146063.tif 000002
【実用新案登録請求の範囲】
【請求項１】
バックライト装置であって、
電源と、
ランプと、
平衡トランスからなり、
前記電源に電気的に接続される一次巻線と、
前記一次巻線に対応して、かつ前記ランプに電気的に接続される二次巻線と、を備えた平衡トランスと、
前記二次巻線に電気的に接続され、前記二次巻線によって発生される電流を検出して、かつ前記電流に従って第１の電圧を発生させるための、検出回路と、
前記検出回路に電気的に接続され、前記第１の電圧の値がデフォルト値より小さいかどうか判断するための、判断モジュールと、
前記電源および前記判断モジュールに電気的に接続され、前記判断モジュールによってなされる判断に従って前記電源を制御するための、制御モジュールと、を備えるバックライト装置。
【請求項２】
前記二次巻線が、
前記一次巻線に対応して、かつ前記ランプに接続され、前記ランプを駆動する駆動電流を発生させるための、第１の二次巻線と、
前記一次巻線に対応して、かつ前記検出回路に接続され、前記電流を前記検出回路に伝達するための、第２の二次巻線と、を備えることを特徴とする、請求項１に記載のバックライト装置。
【請求項３】
前記制御モジュールが、フルブリッジ回路またはハーフブリッジ回路を備える、ことを特徴とする請求項１に記載のバックライト装置。
【請求項４】
バックライト装置であって、
電源と、
ランプと、
平衡トランスからなり、
前記電源に電気的に接続される一次巻線と、
前記一次巻線に対応して、前記ランプに電気的に接続される二次巻線と、を備えた平衡トランスと、
前記二次巻線に電気的に接続される第１のインピーダンス素子であって、前記二次巻線によって発生する電流が、前記第１のインピーダンス素子を貫通するインピーダンス素子と、
前記第１のインピーダンス素子に接続される第２のインピーダンスと、
前記第１のインピーダンス素子と前記第２のインピーダンス素子との間に接続され、前記第１のインピーダンス素子と前記第２のインピーダンス素子との間の第２の電圧を測定するための、測定モジュールと、
前記電源および前記測定モジュールに電気的に接続され、前記第２の電圧に従って前記電源を制御するための、制御モジュールと、を備えるバックライト装置。
【請求項５】
前記二次巻線が、
前記一次巻線に対応して、かつ前記ランプに接続され、前記ランプを駆動する駆動電流を発生させるための、第１の二次巻線と、
前記一次巻線に対応して、かつ前記第１のインピーダンス素子に接続され、前記第１のインピーダンス素子を貫通する前記電流を発生させるための、第２の二次巻線と、を備える、ことを特徴とする請求項４に記載のバックライト装置。
【請求項６】
前記制御モジュールが、フルブリッジ回路またはハーフブリッジ回路を備える、ことを特徴とする請求項４に記載のバックライト装置。
【請求項７】
バックライト装置であって、
電源と、
第１のランプと、
第２のランプと、
平衡トランス、からなり
前記電源に電気的に接続される一次巻線と、
前記一次巻線に対応して、かつ前記第１のランプに電気的に接続される第１の二次巻線と、
前記一次巻線に対応して、かつ前記第２のランプに電気的に接続される第２の二次巻線と、を備えた平衡トランスと、
前記第１の二次巻線と前記第２の二次巻線とに電気的に接続され、前記第１の二次巻線によって発生される第１の電流と前記第２の二次巻線によって発生される第２の電流とを検出するための、検出回路であって、前記第１の電流と前記第２の電流とに従って第１の電圧を発生させる検出回路と、
前記検出回路に電気的に接続され、前記第１の電圧の値がデフォルト値より小さいかどうか判断するための、判断モジュールと、
前記電源および前記判断モジュールに電気的に接続され、前記判断モジュールによってなされる判断に従って前記電源を制御するための、制御モジュールと、を備えるバックライト装置。
【請求項８】
前記第１の二次巻線が、
前記一次巻線に対応して、かつ前記第１のランプに接続され、前記第１のランプを駆動する駆動電流を発生させるための、第１の副巻線と、
前記一次巻線に対応して、かつ前記検出回路に接続される第２の副巻線と、を備える、ことを特徴とする請求項７に記載のバックライト装置。
【請求項９】
前記制御モジュールが、フルブリッジ回路またはハーフブリッジ回路を備える、ことを特徴とする請求項７に記載のバックライト装置。
【請求項１０】
バックライト装置であって、
電源と、
第１のランプと、
第２のランプと、
平衡トランスであって、
前記電源に電気的に接続される一次巻線と、
前記一次巻線に対応して、かつ前記第１のランプに電気的に接続される第１の二次巻線と、前記一次巻線に対応して、かつ前記第２のランプに電気的に接続される第２の二次巻線と、を備えた平衡トランスと、
前記第１の二次巻線および前記第２の二次巻線に電気的に接続される第１のインピーダンス素子であって、電流が前記第１のインピーダンス素子を貫通し、前記電流が前記第１の二次巻線によって発生される第１の電流および前記第２の二次巻線によって発生される第２の電流を備える、インピーダンス素子と、
前記第１のインピーダンス素子に接続される第２のインピーダンスと、
前記第１のインピーダンス素子と前記第２のインピーダンス素子との間に接続され、前記第１のインピーダンス素子と前記第２のインピーダンス素子との間の第２の電圧を測定するための、測定モジュールと、
前記電源および前記測定モジュールに電気的に接続され、前記第２の電圧に従って前記電源を制御するための、制御モジュールと、を備えるバックライト装置。
【請求項１１】
前記第１の二次巻線が、
前記一次巻線に対応して、かつ前記第１のランプに接続され、前記第１のランプを駆動する駆動電流を発生させるための、第１の副巻線と、
前記一次巻線に対応して、かつ前記第１のインピーダンス素子に接続され、前記第１のインピーダンス素子を貫通する前記電流を発生させるための第２の副巻線と、を備える、ことを特徴とする請求項１０に記載のバックライト装置。
【請求項１２】
前記制御モジュールが、フルブリッジ回路またはハーフブリッジ回路を備える、ことを特徴とする請求項１０に記載のバックライト装置。
【請求項１３】
バックライト装置であって、
電源と、
第１のランプと、
第２のランプと、
第３のランプと、
第４のランプと、
平衡トランスからなり、
前記電源に電気的に接続される一次巻線と、
前記一次巻線に対応して、かつ前記第１のランプに電気的に接続される第１の二次巻線と、
前記一次巻線に対応して、かつ前記第２のランプに電気的に接続される第２の二次巻線と、
前記一次巻線に対応して、かつ前記第３のランプに電気的に接続される第３の二次巻線と、
前記一次巻線に対応して、かつ前記第４のランプに電気的に接続される第４の二次巻線を備えた平衡トランスと、
前記第１の二次巻線、前記第２の二次巻線、前記第３の二次巻線および前記第４の二次巻線に電気的に接続される検出回路であって、前記検出回路が前記第１の二次巻線によって発生される第１の電流、前記第２の二次巻線によって発生される第２の電流、前記第３の二次巻線によって発生される第３の電流および前記第４の二次巻線によって発生される第４の電流を検出するために使用され、前記第１の電流、前記第２の電流、前記第３の電流および前記第４の電流に従って第１の電圧を発生させる検出回路と、
前記検出回路に電気的に接続され、前記第１の電圧の値がデフォルト値より小さいかどうか判断するための、判断モジュールと、
前記電源および前記判断モジュールに電気的に接続され、前記判断モジュールによってなされる判断に従って前記電源を制御するための、制御モジュールと、を備えるバックライト装置。
【請求項１４】
前記第１の二次巻線が、
前記一次巻線に対応して、かつ前記第１のランプに接続され、前記第１のランプを駆動する駆動電流を発生させるための、第１の副巻線と、
前記一次巻線に対応して、かつ前記検出回路に接続される第２の副巻線と、を備える、ことを特徴とする請求項１３に記載のバックライト装置。
【請求項１５】
前記制御モジュールが、フルブリッジ回路またはハーフブリッジ回路を備える、ことを特徴とする請求項１３に記載のバックライト装置。
【請求項１６】
バックライト装置であって、
電源と、
第１のランプと、
第２のランプと、
第３のランプと、
第４のランプと、
平衡トランスからなり、
前記電源に電気的に接続される一次巻線と、
前記一次巻線に対応して、かつ前記第１のランプに電気的に接続される第１の二次巻線と、
前記一次巻線に対応して、かつ前記第２のランプに電気的に接続される第２の二次巻線と、
前記一次巻線に対応して、かつ前記第３のランプに電気的に接続される第３の二次巻線と、
前記一次巻線に対応して、かつ前記第４のランプに電気的に接続される第４の二次巻線と、を備えた平衡トランスと、
前記第１の二次巻線、前記第２の二次巻線、前記第３の二次巻線および前記第４の二次巻線に電気的に接続される第１のインピーダンス素子であって、電流が前記第１のインピーダンス素子を貫通し、前記電流が前記第１の二次巻線によって発生される第１の電流、前記第２の二次巻線によって発生される第２の電流、前記第３の二次巻線によって発生される第３の電流および前記第４の二次巻線によって発生される第４の電流を備える、インピーダンス素子と、
前記第１のインピーダンス素子に接続される第２のインピーダンスと、
前記第１のインピーダンス素子と前記第２のインピーダンス素子との間に接続され、前記第１のインピーダンス素子と前記第２のインピーダンス素子との間の第２の電圧を測定するための、測定モジュールと、
前記電源および前記測定モジュールに電気的に接続され、前記第２の電圧に従って前記電源を制御するための、制御モジュールと、を備えるバックライト装置。
【請求項１７】
前記第１の二次巻線が、
前記一次巻線に対応して、かつ前記第１のランプに接続され、前記第１のランプを駆動する駆動電流を発生させるための、第１の副巻線と、
前記一次巻線に対応して、かつ前記第１のインピーダンス素子に接続され、前記第１のインピーダンス素子を貫通する前記電流を発生させるための第２の副巻線と、を備える、ことを特徴とする請求項１６に記載のバックライト装置。
【請求項１８】
前記制御モジュールが、フルブリッジ回路またはハーフブリッジ回路を備える、ことを特徴とする請求項１６に記載のバックライト装置。
【考案の詳細な説明】
【技術分野】
【０００１】
本考案はバックライト装置に関し、および、より詳しくは、追加的なコンデンサなしで、平衡トランス回路の接続パターンを変えることによって短絡防止および電圧フィードバック補償が可能なバックライト装置に関する。
【背景技術】
【０００２】
最近ますます拡大するサイズの液晶ディスプレイ（ＬＣＤ）パネルの開発と共に、複数の冷陰極蛍光ランプ（ＣＣＦＬｓ）を備えたバックライト装置が、液晶ディスプレイパネル用の高品質光源として広く利用されている。
【０００３】
図１を参照されたい。図１は、短絡防止および電圧フィードバック補償が可能な平衡回路を備えた先行技術のバックライト装置を例示する模式図である。図１に示すように、両面ＰＣボード（ＰＣＢ）に取り付けられるバックライト装置１が、複数のコンデンサおよび抵抗を平衡トランス１４の平衡回路の２次側の分圧器として扱う。図１内のノードＡの電圧が測定されて、平衡回路が短絡であるかどうか判断するためのデフォルト値と比較される。加えて、図１内のノードＢにおいて、電圧フィードバック補償を達成するように、電源１０によって供給される電圧を調整するためにキックオフ電圧が測定される。
【０００４】
前述の平衡回路では、多数のコンデンサおよび抵抗が短絡防止および電圧フィードバック補償を達成するために必要である。しかしながら、追加的な素子は回路の複雑性および製品のコストを増加させている。その上、両面ＰＣＢに使用されるコンデンサは、片面ＰＣＢに適していない。したがって、片面ＰＣＢ上のバックライト装置は先行技術によると短絡防止および電圧フィードバック補償を達成することができない。
【０００５】
本考案は、前述の問題を解決するために、追加的なコンデンサなしで、平衡トランス回路の接続パターンを変えることによって短絡防止および電圧フィードバック補償が可能なバックライト装置を開示する。
【考案の開示】
【０００６】
本考案の目的は、バックライト装置を提供することである。一実施態様によれば、このバックライト装置は電源、ランプ、平衡トランス、検出回路、判断モジュールおよび制御モジュールを備える。
【０００７】
平衡トランスは、一次巻線および二次巻線を備える。一次巻線は、電源に電気的に接続される。二次巻線は、ランプに電気的に接続されて、一次巻線に対応する。二次巻線に電気的に接続される検出回路が、電流を検出して、二次巻線によって発生される電流に従って第１の電圧を発生させるのに用いられる。検出回路に電気的に接続される判断モジュールが、第１の電圧の値がデフォルト値より小さいかどうか判断するために使われる。電源および判断モジュールに電気的に接続される制御モジュールが、判断モジュールの判断に従って電源を制御するのに用いられる。
【０００８】
先行技術と比較して、本考案のバックライト装置は片面ＰＣボード（ＰＣＢ）の閉ループでの平衡回路の短絡防止および実信号電圧フィードバック補償を達成することができる。最も重要なことに、本考案のバックライト装置は平衡トランス回路の接続パターンを変えるだけで前述の望みを達成することができる。したがって、それは多数のコンデンサおよび抵抗を節約することができて、製造費を減少させることができる。
【０００９】
本考案の利点および趣旨は、添付の図面と共に以下の説明によって理解されることができる。
【考案を実施するための最良の形態】
【００１０】
本考案の第１の実施態様は、バックライト装置である。図２を参照されたい。図２は、バックライト装置の第１の実施態様を例示する模式図である。
【００１１】
バックライト装置２は、電源２０、ランプ２２、平衡トランス２４、検出回路２６、判断モジュール２８、第１のインピーダンス２３、第２のインピーダンス２５、測定モジュール２７および制御モジュール２９を備える。平衡トランス２４が単一のランプ（ランプ２２）だけに対応するために、平衡トランス２４は単一平衡トランス対単一ランプ（単一対単一）である。
【００１２】
以下は、マルチランプバックライト装置２内に含まれる各装置の相互関係および機能に対する詳細な紹介である。
【００１３】
平衡トランス２４は、一次巻線２４２および二次巻線２４４を備える。一次巻線２４２は、電源２０に電気的に接続される。一次巻線２４２に対応する二次巻線２４４は、ランプ２２に電気的に接続される。
【００１４】
図２において、平衡トランス２４の二次巻線２４４に電気的に接続される検出回路２６が、電流を検出して、二次巻線２４４によって発生される電流に従って第１の電圧を発生させるのに用いられる。実際、二次巻線２４４内の電流は、二次巻線２４４に電磁誘導を引き起こす一次巻線２４２中の電流に由来する誘導電流である。
【００１５】
気がつくべきは、検出回路２６が平衡トランス２４の二次巻線２４４と接続するセンタタップ接続パターンを採用することである。実際的な応用において、二次巻線２４４の中央から外へ分岐する接続端子が、比率約１００：１で二次巻線２４４から上部の巻線および下部の巻線を形成する。
【００１６】
検出回路２６に電気的に接続される判断モジュール２８が、第１の電圧の値がデフォルト値より小さいかどうか判断するのに用いられる。実際的な応用において、ゼロとしてみなされるデフォルト値によって、判断モジュール２８によってなされる判断がプラスの場合、それは、第１の電圧の値がゼロである、換言すれば、検出回路２６が短絡であることを表す。
【００１７】
電源２０および判断モジュール２８に電気的に接続される制御モジュール２９が、判断モジュール２８の判断に従って電源２０を制御するのに用いられる。実際的な応用において、制御モジュールはフルブリッジ回路またはハーフブリッジ回路を備えることができる。判断モジュール２８の判断がプラスならば、それは検出回路２６が短絡であることを意味し、制御モジュール２９は、バックライト装置２を保護するために電源２０を停止する。
【００１８】
その上、図２に示すように、バックライト装置は第１のインピーダンス２３、第２のインピーダンス２５および測定モジュール２７を更に備える。実際的な応用において、第１のインピーダンス２３および第２のインピーダンス２５は各々抵抗素子であることができる。
【００１９】
第１のインピーダンス２３は、第１のインピーダンス２３を通して電流を発生させる二次巻線２４４に電気的に接続される。第２のインピーダンス２５は、第１のインピーダンス２３に接続される。
【００２０】
第１のインピーダンス２３と第２のインピーダンス２５との間に接続される測定モジュール２７が、第１のインピーダンス２３と第２のインピーダンス２５との間の第２の電圧の値を測定するのに用いられる。実際、測定モジュール２７で測定される第２の電圧の値は、キックオフ電圧値である。キックオフ電圧値は、ランプ２２を起動させる最低限の電圧値である。
【００２１】
電源２０および測定モジュール２７に電気的に接続される制御モジュール２９が、第２の電圧の値に従って、電源２０によって供給される電圧を制御するのに用いられる。このようにして、電圧フィードバック補償が閉ループで達成される。実際、制御モジュールはフルブリッジ回路またはハーフブリッジ回路を備えることができる。
【００２２】
図３を参照されたい。図２内の検出回路２６の接続パターンが平衡トランス２４の二次巻線２４４と接続するセンタタップ接続パターンを採用することを除いては、図３は、平衡トランス３４内の二次巻線３４４を第１の二次巻線３４４２および第２の二次巻線３４４４に分割する、図２内に示されるバックライト装置の別の接続パターンを例示する模式図である。
【００２３】
図３において、一次巻線３４２に対応して、ランプ３２に接続される第１の二次巻線３４４２が、ランプ３２を駆動する駆動電流を発生させるのに用いられる。
【００２４】
一次巻線３４２に対応して、検出回路３６に接続される第２の二次巻線３４４４が、駆動電流を検出回路３６に伝達するのに用いられる。その上、第２の二次巻線３４４４は第１のインピーダンス３３を通して電流を発生させるために第１のインピーダンス３３に接続されることができる。図３内に示される接続パターンは、第２の二次巻線３４４４と検出回路３６または第１のインピーダンス３３を接続しており、それは、第３の巻線方法と呼ばれている。
【００２５】
測定モジュール３７が、第１のインピーダンス３３と第２のインピーダンス３５との間の第２の電圧の値を測定する。その後、制御モジュール３９が測定モジュール３７で測定される第２の電圧の値に従って電源３０を制御する。
【００２６】
本考案の第２の実施態様もまた、バックライト装置である。図４を参照されたい。図４は、バックライト装置の第２の実施態様を例示する模式図である。
【００２７】
図４において、バックライト装置４は電源４０、第１のランプ４１、第２のランプ４２、平衡トランス４４、第１の検出回路４６１、第２の検出回路４６２、判断モジュール４８、第１のインピーダンス４３、第２のインピーダンス４５、測定モジュール４７および制御モジュール４９を備える。平衡トランス４４は２つのランプ（第１のランプ４１および第２のランプ４２）に対応するために、平衡トランス４４は単一平衡トランス対２ランプ（単一対二重）である。
【００２８】
以下は、マルチランプバックライト装置４内に含まれる各装置の相互関係および機能に対する詳細な紹介である。
【００２９】
平衡トランス４４は、一次巻線４４２、第１の二次巻線４４４および第２の二次巻線４４６を備える。一次巻線４４２は、電源４０に電気的に接続される。一次巻線４４２に対応する第１の二次巻線４４４が、第１のランプ４１に接続される。一次巻線４４２に対応する第２の二次巻線４４６が、第２のランプ４２に接続される。
【００３０】
第１の検出回路４６１および第２の検出回路４６２が、それぞれ第１の二次巻線４４４に接続され、一方、平衡トランス４４の第２の二次巻線４４６が、第１の二次巻線４４４によって発生される第１の電流、および、第２の二次巻線４４６によって発生される第２の電流をそれぞれ検出するのに用いられる。次いで、検出回路が第１の電流および第２の電流に従って第１の電圧を発生させる。実際、第１の電流および第２の電流の両方が、誘導電流である。
【００３１】
気がつくべきは、図４において、第１の検出回路４６１および第２の検出回路４６２は平衡トランス４４の第１の二次巻線４４４および第２の二次巻線４４６と接続するセンタタップ接続パターンを採用することである。
【００３２】
第１の検出回路４６１および第２の検出回路４６２に電気的に接続される判断モジュール４８が、第１の電圧の値がデフォルト値より小さいかどうか判断するために使われる。それに基づいて、判断モジュール４８は第１の検出回路４６１および第２の検出回路４６２が短絡であるかどうか判定することができる。
【００３３】
電源４０および判断モジュール４８に電気的に接続される制御モジュール４９が、判断モジュール４８の判断に従って電源４０を制御するのに用いられる。実際的な応用において、制御モジュール４９はフルブリッジ回路またはハーフブリッジ回路を備えることができる。判断モジュール４８によってなされる判断がプラスの場合、制御モジュール４９はバックライト装置４を保護するために電源４０を停止する。
【００３４】
加えて、バックライト装置４は第１のインピーダンス４３、第２のインピーダンス４５および測定モジュール４７を備える。実際的な応用において、第１のインピーダンス４３および第２のインピーダンス４５は各々抵抗素子であることができる。
【００３５】
第１のインピーダンス４３は、第１の二次巻線４４４および第２の二次巻線４４６に電気的に接続される。第１のインピーダンス４３を通しての電流の流れは、第１の二次巻線４４４によって発生される第１の電流、および、第２の二次巻線４４６によって発生される第２の電流を備える。第２のインピーダンス４５は、第１のインピーダンス４３に接続される。
【００３６】
第１のインピーダンス４３と第２のインピーダンス４５との間に接続される測定モジュール４７が、第１のインピーダンス４３と第２のインピーダンス４５との間の第２の電圧の値を測定するのに用いられる。実際、測定モジュール４７によって測定される第２の電圧の値は、ランプを起動させるキックオフ電圧値である。
【００３７】
電源４０および測定モジュール４７に電気的に接続される制御モジュール４９が、第２の電圧の値に従って電源４０によって供給される電圧を制御するのに用いられる。このようにして、電圧フィードバック補償は、閉ループで達成される。
【００３８】
図５を参照されたい。図４内のセンタタップ接続パターンを除いて、図５は、平衡トランス５４内の第１の二次巻線５４４を第１の副巻線５４４２および第２の副巻線５４４４に分割する、図４内に示されるバックライト装置の別の接続パターンを例示する模式図である。
【００３９】
図５において、一次巻線５４２に対応して、第１のランプ５１に接続される第１の副巻線５４４２が、第１のランプ５１を駆動する駆動電流を発生させるのに用いられる。
【００４０】
一次巻線５４２に対応する第２の副巻線５４４４が、検出回路５６に接続される。その上、第１のインピーダンス５３に接続されるであろう第２の副巻線５４４４が、第１のインピーダンス５３を通して流れる電流を発生させるのに用いられる。図５内に示される接続パターンは、第３の巻線方法である。
【００４１】
さらに、第２の二次巻線５４６が第３の副巻線５４６２および第４の副巻線５４６４に分割されることができる。接続パターンは、前述のパターンと同一である。
【００４２】
測定モジュール５７が、第１のインピーダンス５３と第２のインピーダンス５５との間の第２の電圧の値を測定する。その後、制御モジュール５９が測定モジュール５７で測定される第２の電圧の値に従って電源５０を制御する。
【００４３】
本考案の第３の実施態様もまた、バックライト装置である。図６を参照されたい。図６は、バックライト装置の第３の実施態様を例示する模式図である。
【００４４】
図６において、バックライト装置６は電源６０、第１のランプ６２１、第２のランプ６２２、第３のランプ６２３、平衡トランス６４、第１の検出回路６６１、第２の検出回路６６２、第３の検出回路６６３、第４の検出回路６６４、判断モジュール６８、第１のインピーダンス６３、第２のインピーダンス６５、測定モジュール６７および制御モジュール６９を備える。平衡トランス４４は４つのランプ（第１のランプ６２１、第２のランプ６２２、第３のランプ６２３、第４のランプ６２４）に対応するために、平衡トランス６４は単一平衡トランス対４ランプ（単一対四重）である。
【００４５】
以下は、マルチランプバックライト装置６内に含まれる各装置の相互関係および機能に対する詳細な紹介である。
【００４６】
平衡トランス６４は、一次巻線６４２、第１の二次巻線６４４、第２の二次巻線６４６、第３の二次巻線６４８および第４の二次巻線６４９を備える。一次巻線６４２は、電源６０に電気的に接続される。一次巻線６４２に対応する第１の二次巻線６４４が、第１のランプ６２１に接続される。一次巻線６４２に対応する第２の二次巻線６４６が、第２のランプ６２２に接続される。一次巻線６４２に対応する第３の二次巻線６４８が、第３のランプ６２３に接続される。一次巻線６４２に対応する第４の二次巻線６４９が、第４のランプ６２４に接続される。
【００４７】
第１の検出回路６６１、第２の検出６６２回路、第３の検出６６３および第４の検出回路６６４が、平衡トランス６４の第１の二次巻線６４４、第２の二次巻線６４６、第３の二次巻線６４８および第４の二次側６４９にそれぞれ接続される。それらの検出回路が、第１の二次巻線６４４によって発生される第１の電流、第２の二次巻線６４６によって発生される第２の電流、第３の二次巻線６４８によって発生される第３の電流および第４の二次巻線６４９によって発生される第４の電流をそれぞれ検出するのに用いられる。次いで、検出回路が第１の電流、第２の電流、第３の電流および第４の電流に従って第１の電圧を発生させる。実際、第１の電流、第２の電流、第３の電流および第４の電流は全て誘導電流である。
【００４８】
気がつくべきは、図６において、平衡トランス６４は平衡トランス６４の第１の二次巻線６４４、第２の二次巻線６４６、第３の二次巻線６４８および第４の二次巻線６４９と接続するセンタタップ接続パターンを採用することである。
【００４９】
第１の検出回路６６１、第２の検出回路６６２、第３の検出回路６６３および第４の検出回路６６４に電気的に接続される判断モジュール６８が、第１の電圧の値がデフォルト値より小さいかどうか判断するために使われる。それに基づいて、判断モジュール６８はそれらの検出回路が短絡であるかどうか判定することができる。
【００５０】
電源６０および判断モジュール６８に電気的に接続される制御モジュール６９が、判断モジュール６８によってなされる判断に従って電源６０を制御するのに用いられる。なされる判断が、検出回路６６が短絡であるならば、制御モジュール６９はバックライト装置６を保護するために電源６０を停止する。
【００５１】
加えて、バックライト装置６は第１のインピーダンス６３、第２のインピーダンス６５および測定モジュール６７を備える。実際的な応用において、第１のインピーダンス６３および第２のインピーダンス６５は、各々抵抗素子であることができる。
【００５２】
第１のインピーダンス６３は、第１の二次巻線６４４、第２の二次巻線６４６、第３の二次巻線６４８および第４の二次巻線６４９に電気的に接続される。第１のインピーダンス６３を通しての電流の流れは、第１の二次巻線６４４によって発生される第１の電流、第２の二次巻線６４６によって発生される第２の電流、第３の二次巻線６４８によって発生される第３の電流および第４の二次巻線６４９によって発生される第４の電流を備える。第２のインピーダンス６５は、第１のインピーダンス６３に接続される。
【００５３】
第１のインピーダンス６３と第２のインピーダンス６５との間に接続される測定モジュール６７が、第１のインピーダンス６３と第２のインピーダンス６５との間の第２の電圧の値を測定するのに用いられる。実際、測定モジュール６１で測定される第２の電圧の値は、ランプを起動させるキックオフ電圧値である。
【００５４】
電源６０および測定モジュール６７に電気的に接続される制御モジュール６９が、第２の電圧の値に従って、電源６０によって供給される電圧を制御するのに用いられる。このようにして、電圧フィードバック補償は、閉ループで達成される。
【００５５】
図７を参照されたい。図６内のセンタタップ接続パターンを除いて、図７は、平衡トランス７４内の第１の二次巻線７４４を第１の副巻線７４４２および第２の副巻線７４４４に分割する、図６内に示されるバックライト装置の別の接続パターンを例示する模式図である。
【００５６】
図７において、一次巻線７４２に対応して、第１のランプ７２１に接続される第１の副巻線７４４２が第１のランプ７２１を駆動する駆動電流を発生させるのに用いられる。
【００５７】
一次巻線７４２に対応する第２の副巻線７４４４が、検出回路７６に接続される。その上、第１のインピーダンス７３に接続されるであろう第２の副巻線７４４４が、第１のインピーダンス７３を通して流れる電流を発生させるのに用いられる。図７内に示される接続パターンは、第３の巻線方法である。
【００５８】
さらに、第２の二次巻線７４６、第３の二次巻線７４８および第４の二次巻線７４９がそれぞれ第３の副巻線７４６２、第４の副巻線７４６４、第５の副巻線７４８２、第６の副巻線７４８４、第７の副巻線７４９２および第８の副巻線７４９４を備える。接続パターンは、前述のパターンと同一である。
【００５９】
測定モジュール７７が、第１のインピーダンス７３と第２のインピーダンス７５との間の第２の電圧の値を測定する。その後、制御モジュール７９が測定モジュール７７で測定される第２の電圧の値に従って電源７０を制御する。
【００６０】
先行技術と比較して、本考案のバックライト装置は平衡回路内の短絡防止および片面ＰＣボード（ＰＣＢ）の閉ループでの実信号電圧フィードバック補償を達成することができる。最も重要なことに、本考案のバックライト装置は平衡トランス回路の接続パターンを変えるだけで前述の望みを達成することができる。したがって、それは多数のコンデンサおよび抵抗を節約することができて、製造費を減少させることができる。
【００６１】
例証および上の説明によって、本考案の特徴および趣旨が十分に記載されていると期待される。当業者が容易に気づくであろうことは、装置の数多くの修正および変更が本考案の教示を保持すると共に、なされることができるということである。したがって、上記の開示は添付の特許請求の範囲の境界および上下限だけによって限定されて解釈されるべきである。
【図面の簡単な説明】
【００６２】
【図１】短絡防止および電圧フィードバック補償が可能な平衡回路を備えた先行技術のバックライト装置を例示する模式図である。
【図２】バックライト装置の第１の実施態様を例示する模式図である。
【図３】図２内に示されるバックライト装置の別の接続パターンを例示する模式図である。
【図４】バックライト装置の第２の実施態様を例示する模式図である。
【図５】図４内に示されるバックライト装置の別の接続パターンを例示する模式図である。
【図６】バックライト装置の第３の実施態様を例示する模式図である。
【図７】図６内に示されるバックライト装置の別の接続パターンを例示する模式図である。
【符号の説明】
【００６３】
１．バックライト装置
２．バックライト装置
３．バックライト装置
４．バックライト装置
５．バックライト装置
６．バックライト装置
７．バックライト装置
１０．電源
１４．平衡トランス
２０．電源
２２．ランプ
２３．第１のインピーダンス
２４．平衡トランス
２５．第２のインピーダンス
２６．検出回路
２７．測定モジュール
２８．判断モジュール
２９．制御モジュール
２４．２一次巻線
２４．４二次巻線
３０．電源
３２．ランプ
３３．第１のインピーダンス
３４．平衡トランス
３５．第２のインピーダンス
３６．検出回路
３７．測定モジュール
３８．判断モジュール
３９．制御モジュール
４０．電源
４１．第１のランプ
４２．第２のランプ
４４．平衡トランス
４３．第１のインピーダンス
４５．第２のインピーダンス
４７．測定モジュール
４８．判断モジュール
４９．制御モジュール
５０．電源
５１．第１のランプ
５２．第２のランプ
５４．平衡トランス
５３．第１のインピーダンス
５５．第２のインピーダンス
５７．測定モジュール
５８．判断モジュール
５９．制御モジュール
６０．電源
６３．第１のインピーダンス
６４．平衡トランス
６５．第２のインピーダンス
６７．測定モジュール
６８．判断モジュール
６９．制御モジュール
７０．電源
７３．第１のインピーダンス
７４．平衡トランス
７５．第２のインピーダンス
７６．検出回路
７７．測定モジュール
７８．判断モジュール
７９．制御モジュール
３４２．一次巻線
３４４．二次巻線
４４２．一次巻線
４４４．第１の二次巻線
４４６．第２の二次巻線
４６１．第１の検出回路
４６２．第２の検出回路
５４２．一次巻線
５４４．第１の二次巻線
５４６．第２の二次巻線
５６１．第１の検出回路
５６２．第２の検出回路
６２１．第１のランプ
６２２．第２のランプ
６２３．第３のランプ
６２４．第４のランプ
６４２．一次巻線
６４４．第１の二次巻線
６４６．第２の二次巻線
６４８．第３の二次巻線
６４９．第４の二次巻線
６６１．第１の検出回路
６６２．第２の検出回路
６６３．第３の検出回路
６６４．第４の検出回路
７２１．第１のランプ
７４２．一次巻線
７４４．第１の二次巻線
７４６．第２の二次巻線
７４８．第３の二次巻線
７４９．第４の二次巻線
３４４２．第１の二次巻線
３４４４．第２の二次巻線
５４４２．第１の副巻線
５４４４．第２の副巻線
５４６２．第３の副巻線
５４６４．第４の副巻線
７４４２．第１の副巻線
７４４４．第２の副巻線
７４６２．第３の副巻線
７４６４．第４の副巻線
７４８２．第５の副巻線
７４８４．第６の副巻線
７４９２．第７の副巻線
７４９４．第８の副巻線
【図１】
0003146063.tif 000003
【図２】
0003146063.tif 000004
【図３】
0003146063.tif 000005
【図４】
0003146063.tif 000006
【図５】
0003146063.tif 000007
【図６】
0003146063.tif 000008
【図７】
0003146063.tif 000009